(57)【要約】【課題】遊技領域を圧迫せずに表示装置の表示領域を大きくすることを可能とした弾球遊技機を提供する。【解決手段】遊技盤ベース１９に遊技釘などの遊技部材１１を設けて遊技球が転動可能な遊技領域Ａを形成した遊技盤１８と、遊技に関する表示を行う表示装置９を前記遊技盤１８の裏側に備えた弾球遊技機であって、前記遊技盤ベース１９は、遊技領域Ａの全部又は一部で、少なくとも表示装置９の表示領域と重なる領域を透明性部材ａで形成し、該透明性部材ａからなる領域以外を非透明性部材ｂで形成した。【選択図】    図２
2005028119.tif 000002
【特許請求の範囲】
【請求項１】
遊技盤ベースに所定の遊技部材を設けて遊技球が転動可能な遊技領域を形成した遊技盤と、遊技に関する表示を行う表示装置を前記遊技盤の裏側に備えた弾球遊技機であって、
前記遊技盤ベースは、遊技領域の全部又は一部で、少なくとも表示装置の表示領域と重なる領域を透明性部材で形成し、該透明性部材からなる領域以外が非透明性部材で形成されていることを特徴とする弾球遊技機。
【請求項２】
遊技領域内において、透明性部材からなる領域が複数箇所形成されていることを特徴とする請求項１に記載の弾球遊技機。
【請求項３】
複数箇所の透明性部材の裏側に表示装置の表示領域が夫々位置し、夫々遊技に関する別個の表示がなされることを特徴とする請求項２に記載の弾球遊技機。
【請求項４】
非透明性部材は、遊技部材又は装飾部材が固着可能な材質からなることを特徴とする請求項１乃至３のいずれかに記載の弾球遊技機。
【請求項５】
非透明性部材は、木材であることを特徴とする請求項４に記載の弾球遊技機。
【発明の詳細な説明】
【技術分野】
【０００１】
本発明は、弾球遊技機、特に遊技盤の裏側に、遊技に関する図柄・演出等表示を行う表示装置を備えてなる弾球遊技機に関する。
【背景技術】
【０００２】
従来の弾球遊技機にあっては、遊技盤ベースは裏側が視認できない木材等により形成され、その所定箇所に表裏面に貫通する開口部（取り付け穴）を穿設し、該開口部に表示装置を組み込んで取り付けていた（例えば特許文献１，２参照）。
このように従来のこの種の弾球遊技機では、遊技盤ベースに開口部を穿設し、該開口部に表示装置を組み込む構成であったため、遊技球が転動する遊技領域は、その表示装置の表示領域の分必然的に制約を受けていた。
【特許文献１】特開２００１−３２１５２８号公報
【特許文献２】特開２００２−３０６７０８号公報
【発明の開示】
【発明が解決しようとする課題】
【０００３】
近年、この表示部（表示領域）を大領域（大型化）として、演出効果を高めようとする傾向がある。
しかし、従来のこのような弾球遊技機にあっては、表示装置の表示領域を大きくすればするほど表示装置を組み込むための開口部を大きく設けなければならず、その結果、遊技球の転動可能な遊技領域に制約をきたしていたものである。
本発明は、従来技術の有するこのような問題点に鑑みなされたもので、その目的とするところは、遊技領域を圧迫せずに表示装置の表示領域を大きくすることを可能とした弾球遊技機を提供することである。
【課題を解決するための手段】
【０００４】
このような目的を達成するために、第１の発明は、遊技盤ベース１９に遊技釘や始動口１２などの所定の遊技部材１１を設けて遊技球が転動可能な遊技領域Ａを形成した遊技盤１８と、遊技に関する表示を行う表示装置９を前記遊技盤１８の裏側に備えた弾球遊技機であって、前記遊技盤ベース１９は、遊技領域Ａの全部又は一部で、少なくとも表示装置９の表示領域Ｂと重なる領域を透明性部材ａで形成し、該透明性部材ａからなる領域以外が非透明性部材ｂで形成されていることを特徴とする弾球遊技機としたことである。
本発明によれば、遊技盤ベース１９の裏側に表示装置９を配設するものとしても、透明性部材ａを介して遊技盤ベース１９表面から表示装置９の図柄や画像などが直接視認できる。そして、従来のように、表示装置を嵌め込むための開口部が遊技盤ベース１９表面に形成されないため、該開口部による遊技球が転動する遊技領域Ａに制約を受けずに済む。これにより、遊技領域Ａを圧迫せずに広い遊技領域Ａが確保できるばかりか、大きな表示領域Ｂを確保することもできるため、大型の表示装置９を配設して演出効果を向上させることもできる。
また、遊技盤１８に非透明性部材ｂを設けたことにより、遊技盤１８に係わる配線や裏側機構などを、該非透明性部材ｂで隠蔽することができるため、遊技機の美観を向上させることができる。
さらに、従来のように表示装置嵌め込み固定用の開口部を設ける必要が無いため、開口部と表示装置の位置合わせなどの面倒な作業手間も解消される。
【０００５】
第２の発明は、第１の発明において、遊技領域Ａ内に、透明性部材ａからなる領域が複数箇所形成されていることを特徴とする弾球遊技機としたことである。
本発明によれば、複数箇所の透明性部材ａの裏側に表示装置９の表示領域Ｂを夫々位置させることができる。
本発明によれば、単一の表示装置９であったとしても、各透明性部材ａからなる領域を介して、表示装置９が恰も独立しているかのように演出することができ、遊技者に強い印象を与え、遊技の興趣の向上を図ることができる。
【０００６】
第３の発明は、第２の発明において、複数箇所の透明性部材ａの裏側に表示装置９の表示領域Ｂが夫々位置し、夫々遊技に関する別個の表示がなされることを特徴とする弾球遊技機としたこである。
本発明によれば、各透明性部材ａからなる領域を介して、遊技に関する別個の演出ができ、遊技の興趣の向上を図ることができる。別個の表示とは、同一又は異なる画像などを夫々の透明性部材ａを介して同時に又は別個独立して表示させることができる。
【０００７】
第４の発明は、第１乃至第３のいずれかの発明において、非透明性部材ｂは、遊技部材１１又は装飾部材２１が固着可能な材質からなることを特徴とする弾球遊技機としたことである。本発明によれば、例えば遊技盤１８に設けられている遊技釘の調整で、遊技釘を治具で叩いた場合であっても、遊技盤ベース１９が破損する虞が少ない。
【０００８】
第５の発明は、第４の発明において、非透明性部材ｂは、木材であることを特徴とする弾球遊技機としたことである。
本発明によれば、例えば入賞装置等の遊技部材１１と、該遊技部材１１を遊技盤ベース１９に取り付けるためのボス穴とに若干の誤差（ボス穴が若干小さい）があったとしても、該ボス穴が木材からなる非透明性部材ｂに設けられていることにより、遊技部材１１を取り付ける際に木材からなるボス穴が若干拡大されて取りつけることができる。また、遊技盤１８を遊技機枠１に取り付けるためのボス穴や、装飾部材２１等（例えばパネル飾りなど）を取り付けるためのボス穴が、木材からなる非透明性部材ｂに設けられる場合で、この装飾部材２１等とボス穴とに若干の誤差（ボス穴が小さい）があった場合であっても同様である。
また、表示にかかわる部分のみ透明性部材ａで構成し、それ以外の領域は木材で構成するものとしたため、遊技盤ベースの全体に占める透明性部材ａ自体の占有面積を抑え、表示にかかわる重要な透明性部材ａの強度向上を図ることができる。
【発明の効果】
【０００９】
本発明によれば、遊技領域を圧迫せずに表示装置の表示領域を大きくすることを可能とした弾球遊技機を提供できる。
【発明を実施するための最良の形態】
【００１０】
以下、本発明を実施するための最良の形態に係る弾球遊技機について、図を参照して説明する。なお、本実施形態は本発明の一実施形態にすぎず何等これらに限定して解釈されるものではなく、本発明の範囲内で設計変更可能である。図１乃至図４は実施例１、図５（ａ）は実施例２、図５（ｂ）は実施例３、図６は実施例４を示す。
【実施例１】
【００１１】
図１は、本発明を適用した弾球遊技機（パチンコ機ともいう）の一例であり、遊技機枠１に本体２を開閉可能に支持している。
本体２の前面上部には、ガラス板４を嵌めたフロント扉３を有し、その内方に遊技盤１８を備える。本体２の前面下部には、貸球及び賞球を受け止める上皿５、上皿５満杯時に球出口の内方で溢れた球を受け止める下皿６、発射装置のハンドル７を備える。ハンドル７のレバー７ａを時計方向に回転させることにより、内蔵する発射ソレノイドを作動させて遊技球を遊技領域Ａに打ち出す。
【００１２】
そして、前記遊技盤１８の裏側で遊技機枠１内には、特別図柄・演出表示等を行う液晶ディスプレイなどからなる識別情報表示装置（本実施形態では特別図柄表示装置とする。）９が装着されている。本実施形態にて使用される液晶ディスプレイ９は、図２で、ＨとＷで示す範囲の遊技盤ベース１９の大形の表示領域Ｂに対応するサイズ（例えば液晶画面１５インチサイズなど）のものとする。
また前記表示装置９は、識別情報表示装置のみとするか、若しくは、識別情報表示装置と、識別情報表示以外の演出効果を高める表示装置からなる構成を採用することができる。
【００１３】
表示装置９は、前記遊技盤ベース１９の表示領域Ｂのサイズに対応する画面サイズを有している液晶ディスプレイがその一例として適用される。なお、表示装置９は、特に限定されるものではないが、好ましくは前記表示領域Ｂとして確保された全域を一杯に使用できるように設定されているものが良く、種々の形態が適用可能である。
例えば、正面から視て、横方向の三列にわたって数字、記号等の特別図柄（左特別図柄・中特別図柄・右特別図柄）を変動表示させる液晶ディスプレイなどからなる識別情報表示装置が適用可能である。
ここで「識別情報」とは、数字、キャラクタ等で構成され、「識別情報」が所定態様になったことを条件に、所定の遊技状態に移行する可能性のあるもの、例えば特別図柄・普通図柄・飾り図柄や演出態様で当たりを示すもの等も含むものとする。
また、縦方向若しくは斜め方向の識別情報を変動表示させるものであったり、また、キャラクタが表示領域内で動作したり、背景が動作したりするものなど任意に設定可能である。
【００１４】
遊技盤１８は、遊技盤ベース１９の表面に遊技部材１１と装飾部材２１が取り付けられて構成されている。
遊技部材１１は、遊技領域Ａを区画すると共に、該遊技領域Ａに発射ソレノイドから打ち出される遊技球を導くガイドレール２０、遊技領域Ａに打ち出された遊技球が当たり、遊技球の流下方向を転動案内する遊技球誘導部材２２、前記表示装置の変動表示を起動すると共に、大当たりとするか否かの抽選処理を起動するチューリップ式の普通電動役物からなる始動口１２、大当たり時に開放するアタッカと称する第一種特別電動役物の大入賞口１３、一般入賞口となる左右の入賞口１４、左右の風車１５、そして遊技領域での入賞を逃したアウト球を排出するアウト口１６を備える。なお、本実施例の図面では、遊技盤ベース１９に打たれている多数の遊技釘の記載を省略しており、また、遊技盤ベース１９の裏側下方には図示しない主制御基板が備えられている。なお、図中、１０は効果音やＢＧＭ、エラー音などを出力するステレオ式のスピーカを示す。
前記遊技部材１１は、一例にすぎず本発明の範囲内でその他の構成を採用することも可能である。
遊技球誘導部材２２は、遊技領域Ａに打ち出された遊技球が当たり、遊技球の流下（落下）方向を転動案内する部材で、本実施形態では、遊技領域Ａの中央部上方部位（「天」ともいう。）に配設される天通路２３と、遊技領域Ａにおいて天通路２３よりも表面方向から視て下方に配設されるステージ２９とする。これら図示した遊技球誘導部材２２は、一例にすぎず設計変更可能である。
【００１５】
本発明は、遊技盤ベース１９の構成に特徴部分を有するため、以下その特徴部分の説明に留め、その他の構成部分についての詳細な説明は省略する。
【００１６】
遊技盤ベース１９は、遊技領域Ａの全部又は一部を透明性部材ａで形成し、該透明性部材ａからなる領域以外を非透明性部材ｂで形成して構成されている。
なお、少なくとも遊技盤１８の裏側に配置される表示装置９の表示領域Ｂと重なる領域を透明性部材ａで形成し、該表示装置９の表示領域Ｂを透明性部材ａを介して直接視認可能に構成されているものであれば本発明の範囲内であって、図示例は一例にすぎず、遊技盤ベース１９の全体形状は特に限定されない。
【００１７】
図１乃至図４に示す実施例１に基づいて具体的に説明すると、正面視略矩形状の遊技盤ベース１９全体を非透明性部材ｂで形成すると共に、その非透明性部材ｂの中心部分に、正面視略半円形状の開口部２５を貫通させて穿設し、該開口部２５に表示領域Ｂとなる透明性部材ａを嵌合してなる。なお、透明性部材ａと非透明性部材ｂとは、その境界部分に段差のない同一平面状となるように構成し、遊技球の転動に影響を与えないように設計される。
【００１８】
透明性部材ａは、入賞口１２・１３・１４や遊技釘等の遊技部材１１を取付固定でき、かつ、容易に変形（曲がらない）又は変質しない程度の硬度・強度等を有し、かつ透明な材質のものを選択する。
例えば、透明性の高い硬質の合成樹脂材が一例として挙げられ、さらに具体的には、無色透明のアクリル樹脂材、ポリカーボネート樹脂材、ポリアリレート樹脂材、メタクリル樹脂材などが本発明の範囲内で任意に選択される。
前記無色透明の合成樹脂材からなる透明性部材ａにより、表示装置９による各種図柄・演出等の表示が、その色合いなどの面における制限を受けること無く行える。また、遊技盤ベース１９裏面側の表示装置９の演出等が表示可能な程度であれば有色透明性部材を採用することも可能である。
このように透明な合成樹脂材を採用することで、硬度・強度を保ちつつ表示面全体のクリア性が向上し、遊技領域Ａの見栄えも向上し得る。
【００１９】
非透明性部材ｂは、前記遊技部材１１やパネル飾り等の装飾部材２１などを取付固定でき、かつ、容易に変形（曲がらない）又は変質しない程度の硬度・強度等を有し、かつ非透明な材質のものを選択する。例えば、木材や、あるいは非透明で硬質の合成樹脂材などを一例として挙げることができる。合成樹脂材を採択する場合、透明の合成樹脂材の裏面に装飾パネルなどを備えることで非透明性部材として用いることも可能である。
遊技盤ベース１９を構成する非透明性部材ｂの木材としての一例を挙げると、例えばブナ材、ラワン材、ブナ合板などの合成板、ベニヤ材、マトア材などが例示でき、各種の材質が本発明の範囲内で任意に選択される。
非透明性部材ｂは、遊技盤１８の裏側に配置する表示装置９の表示と関連性のある着色・装飾などを施すが限定されず本発明の範囲内で適宜最適な着色・装飾が選択できる。
【００２０】
さらに具体的に説明すると、本実施例では、遊技盤ベース１９表面のガイドレール２０により区画された遊技領域Ａを構成する部分のうち、該遊技盤ベース１９正面に対して始動口１２よりも上方部分の領域Ａ（Ａ１）を正面視略半円形状の透明性部材ａで構成して表示領域Ｂを構成し、その透明性部材からなる領域Ａ（Ａ１）以外の遊技領域Ａ（Ａ２）を含めた遊技盤ベース１９表面の残り全領域Ｃを非透明性部材ｂで構成している。
具体的には、正面視略矩形状に形成した木製の遊技盤ベース１９の始動口１２取付部分よりも上方に、正面視略半円形状の開口部２５を穿設すると共に、該開口部２５に正面視略半円形状の透明性部材ａを、該開口部２５と同一平面で、かつ境界部分に隙間を形成しないように嵌め込んで構成されている。
【００２１】
従って、本実施例では図３に示すように、前記木製部分（非透明性部材ｂ）に、正面視略半円形状の開口部２５と共に、始動口１２と大入賞口１３と入賞口１４を取り付ける夫々の開口部２６、及びアウト口１６、そして装飾部材２１等を取付固着する図示しない所定のボス穴などが遊技盤ベース１９正面から背面にわたって開けられている。なお、遊技領域Ａにおける前記透明性部材ａからなる領域以外の領域（木製の非透明性部材ｂの領域Ａ２）には、化粧シートなどを貼り付けたり、あるいはその領域Ａ２表面に直接模様・色彩などを施して遊技盤ベース１９の装飾を図るものとする。
すなわち、本実施例によれば、図２で符号ＨとＷで示す透明性部材ａからなる大きな領域全体が表示領域Ｂとなっており、この表示領域Ｂの裏側に表示装置９を配設する。
そして、前記透明性部材ａには、ボス穴２７等を介して取付固定される所定の遊技部材１１（例えば遊技球誘導部材２２）や、図示しない多数の遊技釘等が取り付けられる。また、非透明性部材ｂには、各開口部２６を介して取付固定される所定の遊技部材（始動口１２と大入賞口１３と入賞口１４）や、図示しないボス穴等を介して取付固着されるパネル飾りなどの装飾部材２１等が取り付けられる。
【００２２】
本実施例によれば、遊技領域を圧迫されることなく遊技盤１８の正面に透明性部材ａからなる大きな表示領域Ｂを形成することができると共に、始動口１２や大入賞口１３は非透明性部材ｂに取付固定されるため、これらの裏側機構や配線等は、該非透明性部材ｂにより隠蔽されることで遊技者側からは視認困難とすることができる。
【実施例２】
【００２３】
図５（ａ）は、本発明の実施例２で、始動口１２の上方の領域にあたる全領域を透明性部材ａで正面視略矩形状に形成すると共に、その下方領域を非透明性部材ｂである木製部材で正面視略矩形状に形成した実施の一例である。その他の構成及び作用効果は実施例１と同様であるため説明は省略する。
なお、図面では、透明性部材ａの領域と非透明性部材ｂの領域とを比すると、透明性部材ａからなる領域の方が非透明性部材ｂからなる領域よりも大きく形成しているが、一例であって、両方の領域が均等の大きさで構成されている形態であってもよく、透明性部材ａからなる領域よりも非透明性部材ｂからなる領域の方が大きく形成されている形態であってもよく、遊技盤ベース１９を、所定形状をもって上下に透明性部材ａと非透明性部材ｂに二分した構成であれば全て本実施例の範囲内であり何等限定解釈されるものではない。
この場合、透明性部材ａと非透明性部材ｂとの境界部分は、容易に分離されないように固着されるか、前記境界部分に任意の周知嵌合構造を採り入れて強度面の向上を図るものとする。
【実施例３】
【００２４】
図５（ｂ）は、本発明の実施例３で、遊技盤ベース１９の全体を正面視略矩形状の透明合成樹脂板で形成し、その中心部分を大きく正面視円形状に表示領域Ｂとしての透明性部材ａ領域とすると共に、その透明性部材ａ領域の周囲を着色塗装あるいは化粧シール等を施すことで非透明性部材ｂ領域とした実施の一例である。その他の構成及び作用効果は実施例１と同様であるため説明は省略する。なお、透明性部材ａの領域を構成する形状は特に限定されず任意であり、本実施例では、図示したように、遊技領域Ａ全域（Ａ１とＡ２の双方）を透明性部材ａとしているため、始動口１２や大入賞口１３などの裏側機構や配線なども遊技者側から視認可能であるが、これら裏側機構や配線などを隠蔽するには、その始動口１２や大入賞口１３などが取付固定される領域を、前記のように着色塗装・化粧シールを施して裏側機構や配線などを視認困難に隠蔽するものとすればよい。
【実施例４】
【００２５】
図６は、本発明の実施例４で、遊技盤ベース１９の全体を正面視略矩形状の木材（非透明性部材）で形成し、その所定箇所に複数個の分離した開口部２５ａ，２５ａ，２５ｂを穿設し、該開口部２５ａ，２５ａ，２５ｂに透明性部材ａを嵌め込み、該夫々の透明性部材ａの領域を別個の表示領域Ｂ（Ｂ１，Ｂ２，Ｂ３）とすると共に、その夫々分離した表示領域Ｂ（Ｂ１，Ｂ２，Ｂ３）以外の全遊技領域Ａを木製の非透明性部材ｂで構成している実施の一例である。
【００２６】
具体的には、遊技盤ベース１９の正面略中央位置に横並びで二箇所の正面視矩形状の開口部２５ａ，２５ａを穿設し、さらに、該遊技盤ベース１９の正面上端寄りに、正面視形状が横長細幅の矩形状の開口部２５ｂを穿設し、夫々の開口部２５ａ，２５ａ，２５ｂに合致する透明性部材ａを嵌め込んで、該夫々の透明性部材ａの領域を別個の表示領域Ｂ（Ｂ１，Ｂ２，Ｂ３）としている。
図６（ｂ）は本実施例の遊技盤ベース１９を使用した遊技盤１８の一例を示し、本実施例では、遊技盤１８の略中央位置（遊技球誘導部材２２，２２で囲まれた領域）に、横並びで並設される二箇所の表示領域Ｂ１，Ｂ２で夫々表示装置の別々の変動表示をさせるものとし、そして別々の変動表示を起動させるための別個の始動口１２，１２を二箇所横並びで並設させている。この場合変動表示は、夫々の始動口１２，１２により別々に起動される。
また、上端寄りに設けた透明性部材ａにあっては、例えば大当たり時などに、大当たり状態であることを表示したり、遊技に関する各種演出表示をする表示装置などが裏側に配置されている。
その他の構成及び作用効果は実施例１と同様であるためその説明は省略する。
なお、透明性部材からなる夫々の表示領域Ｂ（Ｂ１，Ｂ２，Ｂ３）から、裏側に配置した単一の表示装置の所定箇所が視認可能な構成としてもよいが、例えば夫々の表示領域Ｂ（Ｂ１，Ｂ２，Ｂ３）の裏側に、夫々別個の表示装置を配置することも本発明の範囲内である。また、夫々の表示領域Ｂ（Ｂ１，Ｂ２，Ｂ３）では、同一の演出表示又は異なる演出表示のいずれかが表示される。
「変形例」
【００２７】
上述した各実施例１乃至４では、透明性部材ａの正面視形状を半円形状、矩形状、円形状、あるいは並設された複数個の矩形状としているが、その他の周知形状としたり、若しくは遊技に関する図柄・演出表示などに登場するキャラクタ等を模写した形状等にしたりすることも可能である。
また、複数箇所の透明性部材ａを縦方向に並べて設けることも、不規則に並べて設けることも可能で、裏側に配置する表示装置９の表示領域Ｂと重なる位置に透明性部材ａを設けるものであればよい。
【図面の簡単な説明】
【００２８】
【図１】本発明弾球遊技機の実施例１を示す分解斜視図。
【図２】実施例１の遊技盤を拡大して示す概略正面図。
【図３】実施例１の遊技盤ベースを透明性部材と非透明性部材とに分解した状態を示す概略斜視図。
【図４】実施例１の遊技盤ベースに種々の遊技部材を取付固定し、装飾部材を分解した状態を示す斜視図。
【図５】（ａ）は実施例２の遊技盤ベースを示す概略斜視図、（ｂ）は実施例３の遊技盤ベースを示す概略斜視図。
【図６】（ａ）は実施例４の遊技盤ベースを透明性部材と非透明性部材とに分解した状態を示す概略斜視図、（ｂ）は（ａ）の遊技盤ベースを用いた遊技盤の一例を示す概略正面図。
【符号の説明】
【００２９】
９：表示装置
１１：遊技部材
１８：遊技盤
１９：遊技盤ベース
Ａ：遊技領域
Ｂ：表示領域
ａ：透明性部材
ｂ：非透明性部材
【図１】
2005028119.tif 000003
【図２】
2005028119.tif 000004
【図３】
2005028119.tif 000005
【図４】
2005028119.tif 000006
【図５】
2005028119.tif 000007
【図６】
2005028119.tif 000008